(57)【要約】【課題】体液の吸収速度を向上でき、良好な使用感を得られる体液吸収用当て材を提供する。【解決手段】体液吸収用当て材１は、体液を吸収する吸収体３と、吸収体３の皮膚側に面に設けられるトップシート２と、吸収体３のトップシート２とは反対側の面に設けられるバックシート４と、を少なくとも備え、トップシート２は、皮膚と接触する側の面の少なくとも体液透過領域における乾燥時の平均表面摩擦係数が０．２以上０．８以下であり、かつ湿潤時の平均表面摩擦係数が０．４以上０．７以下である。【選択図】図１
2020000488.tif 000002
【特許請求の範囲】
【請求項１】
体液を吸収する吸収体と、前記吸収体の皮膚側に面に設けられるトップシートと、前記吸収体の前記トップシートとは反対側の面に設けられるバックシートと、を少なくとも備え、
前記トップシートは、皮膚と接触する側の面の少なくとも体液透過領域における乾燥時の平均表面摩擦係数が０．２以上０．８以下であり、かつ湿潤時の平均表面摩擦係数が０．４以上０．７以下である、体液吸収用当て材。
【請求項２】
前記トップシートは、天然繊維を素材として含む、請求項１に記載の体液吸収用当て材。
【請求項３】
前記トップシートは、天然繊維のみで構成される、請求項１に記載の体液吸収用当て材。
【請求項４】
前記天然繊維は、綿である、請求項２又は３に記載の体液吸収用当て材。
【発明の詳細な説明】
【技術分野】
【０００１】
本発明は、下着などに装着して、おりもの、経血、汗、尿などの体液を吸収するために使用される体液吸収用当て材に関する。
【背景技術】
【０００２】
従来から、おりもの、経血、汗、尿などの体液を吸収するため、体液吸収用当て材が使用されている。体液吸収用当て材は、液透過性のトップシートと液不透過性のバックシートとの間に吸収体を挟んだ構造であり、トップシートを皮膚に接触させ、トップシートを透過した体液を吸収体で吸収するものである。
【０００３】
体液吸収用当て材の使用時の快適性を高めるためには、体液が皮膚に触れないように、体液吸収用当て材の体液の吸収速度を高めてトップシートに体液が残らないようにすることが重要である。その手段として、例えば特許文献１や特許文献２には、トップシートと吸収体との間に親水性シートを介在させるとともにトップシートと親水性シートとを複数のエンボスによって接合する技術や、トップシートを凹凸構造にして吸収体との間に空間を設ける技術が開示されている。
【先行技術文献】
【特許文献】
【０００４】
【特許文献１】特開２００４−４９６９７号公報
【特許文献２】特開２０１４−１１０８０９号公報
【発明の概要】
【発明が解決しようとする課題】
【０００５】
しかしながら、特許文献１や特許文献２の体液吸収用当て材のように、トップシートに凹凸が存在すると、トップシートは滑らかさがなく硬い風合いに感じられる。トップシートは、体液吸収用当て材の使用時に使用者の肌に直に接触するため、着け心地に大きく影響し、トップシートに滑らかさがないと、体液吸収用当て材の着け心地が悪く、使用者が不快に感じるため、使用感を損なうという課題がある。
【０００６】
本発明は、上記問題を解決するためになされたものであり、体液の吸収速度を向上でき、良好な使用感を得られる体液吸収用当て材を提供することを目的とする。
【課題を解決するための手段】
【０００７】
本発明者は、上記課題を解決すべく鋭意研究を重ねた結果、一定の滑らかさを有するトップシートを備えた体液吸収用当て材においては、使用時に滑らかで優しい風合いを感じて良好な使用感を得られるとともに、体液の吸収速度を向上できることを見出した。本発明は、このような知見に基づいて完成されたものである。即ち、本発明は下記態様の体液吸収用当て材を提供する。
【０００８】
本発明の体液吸収用当て材は、体液を吸収する吸収体と、前記吸収体の皮膚側に面に設けられるトップシートと、前記吸収体の前記トップシートとは反対側の面に設けられるバックシートと、を少なくとも備え、前記トップシートは、皮膚と接触する側の面の少なくとも体液透過領域における乾燥時の平均表面摩擦係数が０．２以上０．８以下であり、かつ湿潤時の平均表面摩擦係数が０．４以上０．７以下であることを特徴とする。
【０００９】
本発明の体液吸収用当て材においては、前記トップシートは、天然繊維を素材として含むことが好ましい。
【００１０】
また、本発明の体液吸収用当て材においては、前記トップシートは、天然繊維のみで構成されることが好ましい。
【００１１】
また、本発明の体液吸収用当て材においては、前記天然繊維は、綿であることが好ましい。
【発明の効果】
【００１２】
本発明の体液吸収用当て材によれば、乾燥時及び湿潤時のいずれにおいてもトップシートが滑らかさを有しており、良好な着け心地（風合い）を奏するとともに、排出された体液の吸収速度が高められており、排出された体液がトップシートに残りにくく、体液が皮膚に触れることが抑制されるので、使用時の快適性を高めることができる。よって、良好な使用感を得ることができる。
【図面の簡単な説明】
【００１３】
【図１】本実施形態の体液吸収用当て材の平面図である。
【図２】本実施形態の体液吸収用当て材の底面図である。
【図３】図１のＡ−Ａ断面図である。
【発明を実施するための形態】
【００１４】
以下、本発明の体液吸収用当て材の実施形態について添付図面を参照して説明する。本発明の体液吸収用当て材は、トップシートと、バックシートと、トップシート及びバックシートの間に挟まれた吸収体とを少なくとも備えた複数層構造を有しており、使用者の下着などの衣類や直接皮膚に装着されて、おりもの、経血、汗、尿などの体液を吸収するために使用されるものである。体液吸収用当て材としては、例えばおりものシート（パンティライナー）、生理用ナプキン、失禁用パッド、汗取りシートなどを例示することができる。
【００１５】
図１〜図３は、本発明の体液吸収用当て材の一実施形態を示す。本実施形態の体液吸収用当て材１は、使用者の皮膚に接する側（表側）から、トップシート２、吸収体３及びバックシート４がこの順で積層された３層構造であり、バックシート４側の裏面には、体液吸収用当て材１を下着などの衣類に貼り付けるための粘着層５が形成されている。
【００１６】
体液吸収用当て材１の厚み及び大きさは、特に限定されるものではなく、装着部位に応じて厚み及び大きさを適宜設定することができる。また、体液吸収用当て材１の形状も、特に限定されるものではなく、本実施形態では平面視で略瓢箪形状を呈しているが、装着部位（使用目的）に合わせて長方形状、正方形状、円形状、楕円形状、小判形状、多角形状など、他の種々の形状とすることができる。
【００１７】
トップシート２は、使用者の皮膚に接触して体液を通過させることで、下層の吸収体３に体液を浸透させる液透過性を有している。トップシート２は、液透過性を有していれば特に限定されるものではなく、例えば織物、編物、不織布、フェルトなどを用いることができる。その中でも、良好な肌触りや皮膚への刺激性、吸収性の点から不織布が好ましい。
【００１８】
また、トップシート２を構成する素材も、特に限定されるものではなく、例えば、ポリエステル繊維、ポリアミド繊維、アクリル繊維、ポリプロピレン繊維、ポリエチレン／ポリエステル複合繊維、ポリエチレン／ポリプロピレン複合繊維などの合成繊維；綿、シルク、パルプ、羊毛、麻などの天然繊維；レーヨン繊維、アセテート繊維などの半合成繊維；及び各種繊維を混ぜた繊維（混紡品、混繊品）を挙げることができるが、肌触りを良好とするためには、天然繊維が好ましく、特に綿が好ましい。トップシート２は、単層に限らず、複数層以上の積層体で構成されていてもよい。
【００１９】
吸収体３は、体液の吸水性を有していれば特に限定されるものではなく、一般に生理用ナプキンやパンティライナー、おしめ、汗取りシートなどに用いられている、例えば吸水性パルプ、吸水性ポリマーなどの公知の吸収材や、織物、編物、不織布又はパルプ製品などから構成される繊維構造物を用いることができる。その中でも、肌触りがよく、吸収性に優れる点から、天然繊維及び合成繊維からなる集積体（例えば不織布）を用いることが好ましい。天然繊維としては、例えば綿、シルク、パルプ、羊毛、麻などを挙げることができる。このような天然繊維の中でも、アレルギーなどの接触性皮膚炎が起こりにくく、かぶれにくく、かつ吸収性に優れる点から、（タンパク質系成分でない）綿やパルプなどのセルロース系繊維が好ましい。また、合成繊維としては、例えばナイロン繊維、ポリエチレン繊維、ポリエステル繊維、ポリアミド繊維、アクリル繊維、ポリビニルアルコール繊維、ポリプロピレン繊維、ポリエチレンテレフタレート繊維、エチレン酢酸ビニル繊維、ウレタン繊維、アクリル繊維などを挙げることができる。また、レーヨン繊維、アセテート繊維、キュプラなどの半合成繊維、及び各種繊維の混紡品、混繊品を用いることもできる。その中でも、ドライ感及び風合いの点から、エチレン酢酸ビニル繊維、ポリプロピレン繊維、ポリエチレン繊維、ポリエステル繊維、ポリエチレンテレフタレート繊維などの合成繊維又はそれらの複合繊維が好ましい。複合繊維としては、ポリエチレン／ポリエステル（ポリエチレンテレフタレートを含む）複合繊維、ポリエチレン／ポリプロピレン複合繊維、エチレン酢酸ビニル／ポリプロピレン複合繊維などを挙げることができる。これらは、１種単独で使用してもよく、２種以上を組み合わせて使用してもよい。２種以上の組み合わせの例としては、セルロース系繊維と複合繊維の組み合わせなどが挙げられ、その配合割合は、例えば４：６〜８：２とすることができる。
【００２０】
バックシート４は、吸収体３に吸収された体液の外部への流出を防止する液不透過性を有している。バックシート４は、液不透過性を有していれば特に限定されるものではなく、例えばフィルム、ＳＭＳなどの液不透過性の不織布、スパンボンド不織布やポイントボンド不織布などに樹脂フィルムがラミネートされたものなどを用いることもできる。液不透過性フィルムとしては、例えば、ポリエチレン、ポリプロピレン、ポリエステル、ナイロン、ポリビニルアルコール、セロファン、塩化ビニルなどからなるフィルムもしくはこれらの多層フィルムを挙げることができる。
【００２１】
上述した不織布は、湿式抄紙法、乾式抄紙法、スパンボンド法、メルトブロー法、ラテックス樹脂ボンド法、溶剤ボンド法、スティッチボンド法、ニードルパンチ法、スパンレース法、サーマルボンド法、エアースルー法、エアレイド法などの方法により製造することができる。なかでもスパンレース法、サーマルボンド法、エアースルー法、エアレイド法、ニードルパンチ法、スパンボンド法などの方法が好ましく、これらの方法では風合いがよくかつ、接着剤、溶剤を用いないため、肌への安全性を高くすることができる。
【００２２】
トップシート２、吸収体３及びバックシート４を貼り合わせる方法は特に限定されるものではなく、水溶性の接着剤（例えばアクリル系水溶性接着剤）や非水溶性接着剤（例えばゴム系ホットメルト、オレフィン系ホットメルト）などの接着剤により接着することができる。また、トップシート２、吸収体３及びバックシート４の外周縁又は外周縁近傍を全周にわたって圧着（例えば熱圧着、超音波圧着）することで、各シート同士を圧着部６により互いに固定してもよい。なお、圧着部６は必ずしも形成する必要はない。
【００２３】
粘着層５は、粘着剤をバックシート４に塗布することなどにより設けられる。粘着層５に用いられる粘着剤は、体液吸収用当て材１を下着などに貼り付けることができるものであれば特に限定されず、例えば、水溶性の接着剤（例えばアクリル系水溶性接着剤）や非水溶性接着剤（例えばゴム系ホットメルト、オレフィン系ホットメルト）などの接着剤を挙げることができる。その中でも、その他の粘着剤に比べて下着に対する接着力に優れる点から非水溶性接着剤が好ましく、ゴム系ホットメルトがより好ましい。粘着層５は、バックシート４に対してほぼ全域を覆うように設けられていてもよいし、バックシート４に対して部分的（図２では一定間隔をあけたストライプ状）に設けられていてもよい。
【００２４】
なお、体液吸収用当て材１は、必ずしも上述した３層構造に限られず、例えばトップシート２と吸収体３との間に、透液効果、拡散効果又は表面側への体液の逆戻りを止める効果を有するシートを設けるなど、４層以上の層構造としてもよい。
【００２５】
上述した構成の体液吸収用当て材１は、トップシート２の皮膚と接触する側の面（表面、以下「肌当接面」という。）の体液透過領域における乾燥時の平均表面摩擦係数（ｄｒｙ  ＭＩＵ）が０．２以上０．８以下であり、かつ湿潤時の平均表面摩擦係数（ｗｅｔ  ＭＩＵ）が０．４以上０．７以下である。
【００２６】
ここで、体液透過領域とは、身体への装着時に体液の排出部と対向する領域をいい、本実施形態においては、図１で一点鎖線で示すように、トップシート２の略中央部としているが、体液透過領域の位置や大きさは、体液吸収用当て材１の装着部位（使用目的）や装着部位への装着の仕方（使用状況）などに応じて適宜調整すればよく、特に限定されるものではない。なお、トップシート２の肌当接面の体液透過領域を含む全域（圧着部６を除く）において、乾燥時の平均表面摩擦係数が０．２以上０．８以下であり、かつ湿潤時の平均表面摩擦係数が０．４以上０．７以下であってもよい。
【００２７】
平均表面摩擦係数は、トップシート２の肌当接面の風合いを示す指標であり、値が小さい程、皮膚に対する肌当接面の抵抗感、ぬめり感が小さくて肌当接面が滑らかであることを示し、皮膚との間に擦れが生じたときにざらつかずにサラサラとしていて皮膚に与える影響が小さくなる。
【００２８】
なお、乾燥時の平均表面摩擦係数は、体液吸収用当て材１が体液を吸収する前の乾燥した状態であるときのトップシート２の平均表面摩擦係数を指す。また、乾燥時のトップシート２の平均表面摩擦係数に加え、体液吸収用当て材１が湿潤した時のトップシート２の平均表面摩擦係数が小さいことで、体液吸収用当て材１を装着した後において、体液を吸収する前の状態、さらには、体液を吸収した後の状態でもトップシート２の肌触りが滑らかとなり、良好な着け心地（風合い）を奏する。
【００２９】
また、本出願の発明者が、体液の吸収速度を高めるためには体液吸収用当て材がどのような性質を備えている必要があるかについて、鋭意研究を重ねた結果、体液吸収用当て材の乾燥時のトップシートの平均表面摩擦係数と湿潤時のトップシートの平均表面摩擦係数とが大きく関連していることを見出した。そこで、本実施形態の体液吸収用当て材１では、乾燥時のトップシート２の平均表面摩擦係数及び湿潤時のトップシート２の平均表面摩擦係数を、それぞれ、優れた体液の吸収速度が得られる、０．２以上０．８以下及び０．４以上０．７以下にすることを特徴とした。これにより、本実施形態の体液吸収用当て材１は、乾燥時及び湿潤時においてトップシート２が良好な滑らかさを有すると同時に、体液の吸収速度が高いため、体液吸収用当て材１に排出された体液がトップシート２に残りにくく、体液が皮膚に触れることが抑制される。よって、使用時に使用者に不快さを感じさせることがなく、体液吸収用当て材１の快適性をさらに高めることができるので、良好な使用感を得ることができる。
【００３０】
なお、上述した平均表面摩擦係数は、体液吸収用当て材１の体液の吸収速度をより高くするためには、乾燥時のトップシート２の平均表面摩擦係数が０．３以上０．８以下、かつ湿潤時のトップシート２の平均表面摩擦係数が０．４以上０．７以下であることが好ましく、乾燥時のトップシート２の平均表面摩擦係数が０．３以上０．６以下、かつ湿潤時のトップシート２の平均表面摩擦係数が０．６以上０．７以下であることがさらに好ましい。
【００３１】
平均表面摩擦係数は、以下の方法によって測定することができる。具体的には、摩擦距離３０ｍｍに合わせて体液吸収用当て材１の試験片を用意し、カトーテック株式会社製の表面摩擦係数測定器（ＫＥＳ−ＦＢ４−ＡＵＴＯ−Ａ）を用いて当該試験片の平均表面摩擦係数を測定する。試験片の大きさは縦１５０ｍｍ及び横５０ｍｍとし、測定条件は、標準摩擦子（指紋タイプ）、摩擦時の荷重２５ｇｆ／ｃｍ２、測定感度Ｌ（高感度１００ｇ／Ｖ）とする。摩擦距離、摩擦速度などその他の条件は装置仕様通りとする（摩擦距離３０ｍｍ、解析距離２０ｍｍ、試料移動速度１ｍｍ／ｓｅｃ）。平均表面摩擦係数は、２０ｍｍの解析距離にわたって測定した試験片表面（トップシート２側の面）の摩擦係数の平均値である。なお、湿潤時の平均表面摩擦係数は、乾燥した状態の試験片に１ｇの生理食塩水（２５℃）を表面（トップシート２側の面）にできるだけ均一に付与し、１０秒間静置した後に測定する。
【００３２】
以上、本発明の一実施形態について説明したが、本発明は上記実施形態に限定されるものではなく、その趣旨を逸脱しない限りにおいて、種々の変更が可能である。例えば、上記実施形態の体液吸収用当て材１は、トップシート２側の表面（圧着部６を除く）にエンボス加工などによる凹凸部が形成されていないが、エンボス加工などによる凹凸部は形成されていないことが好ましいものの、体液透過領域（圧着部６を除く）については、乾燥時及び湿潤時のトップシート２の平均表面摩擦係数が上述した所定の数値範囲にあれば、エンボス加工などによる凹凸部が形成されていてもよい。なお、体液透過領域以外の領域については、乾燥時及び湿潤時のトップシート２の平均表面摩擦係数に関係なく、エンボス加工などによる凹凸部が形成されていてもよい。
【実施例】
【００３３】
以下、実施例に基づき本発明をさらに詳細に説明する。なお、本発明の内容は、以下の実施例に限定されるものではない。
【００３４】
本発明の体液吸収用当て材の効果を確認するため、体液の吸収速度について試験を行った。実施例１〜６及び比較例１〜５で用いた体液吸収用当て材は、上記実施形態に示す構成と同様に、トップシート、吸収体及びバックシートが接着剤を用いて積層されたものであり、トップシート、吸収体及びバックシートに関する素材は、下記のとおりである。
・表面シート：
コットン（実施例１〜４）
ポリエチレン、ポリエステル（実施例５）
ポリエチレン、ポリプロピレン、ポリエステル（実施例６）
コットン（比較例１〜２、４〜５）
コットン、レーヨン、ポリエステル（比較例３）
・吸収体：サーマルボンド不織布（全ての例で同じ）
・バックシート：ポリエチレンフィルム（全ての例で同じ）
【００３５】
各例の体液吸収用当て材の乾燥時の平均表面摩擦係数（ｄｒｙ  ＭＩＵ）は、ＫＥＳ−ＦＢ４−ＡＵＴＯ−Ａ表面摩擦係数測定器（カトーテック株式会社製）を用いて、体液吸収用当て材を、トップシート側を上にして測定器の台上に両面テープを用いて固定した後、上述した測定方法によって算出した。また、各例の体液吸収用当て材の湿潤時の平均表面摩擦係数（ｗｅｔ  ＭＩＵ）は、体液吸収用当て材を同様に測定器の台上に固定した後、トップシート側の面に１ｇの生理食塩水をピペットを用いてまんべんなく塗布して１０秒間静置し、その後、上述した測定方法によって算出した。
【００３６】
各例の体液吸収用当て材の体液の吸収速度は、体液透過領域にピペットマンを用いて１ｍＬの生理食塩水を滴下し、生理食塩水が吸収されるまでの時間を測定した。吸収速度の評価は、短時間であるほど高評価となり、１．２５秒未満を「◎」、１．２５秒以上１．８０秒未満を「○」、１．８０秒以上を「×」とした。その結果を表１に示す。
【００３７】
【表１】
2020000488.tif 000003
【００３８】
表１の結果から、乾燥時のトップシートの平均表面摩擦係数が０．２以上０．８以下、かつ湿潤時のトップシートの平均表面摩擦係数が０．４以上０．７以下である実施例１〜５の体液吸収用当て材では、比較例１〜５の体液吸収用当て材と比較して体液の吸収速度が優れており、トップシートに体液が残ることを効果的に防止できることが確認された。よって、体液吸収用当て材の使用時に体液が皮膚に触れるなどの不快さを感じにくくなり、体液吸収用当て材の快適性が向上し、使用感を良好にできることが分かる。
【００３９】
また、乾燥時のトップシート２の平均表面摩擦係数が０．３以上０．８以下、かつ湿潤時のトップシート２の平均表面摩擦係数が０．４以上０．７以下である実施例２，３，５，６の体液吸収用当て材では、体液の吸収速度がより優れており、トップシートに体液が残ることをより効果的に防止できることが確認された。また、乾燥時のトップシート２の平均表面摩擦係数が０．３以上０．６以下、かつ湿潤時のトップシート２の平均表面摩擦係数が０．６以上０．７以下である実施例２，３の体液吸収用当て材では、体液の吸収速度がかなり優れており、トップシートに体液が残ることをさらに効果的に防止できることが確認された。
【符号の説明】
【００４０】
１    体液吸収用当て材
２    トップシート
３    吸収体
４    バックシート
５    粘着層
【図１】
2020000488.tif 000004
【図２】
2020000488.tif 000005
【図３】
2020000488.tif 000006